(57)【要約】【課題】長期にわたり臭気の発散を防止することができる小便器用排水トラップを提供する。【解決手段】小便器用排水トラップ１０は、流入口１１Ａを有する蓋部１１と、流出口１２Ｃを有する本体部１２と、筒状の隔壁部１３とを備えている。本体部１２内は、第１領域３１と第２領域３２とに区画され、第１領域３１と第２領域３２とは第３領域３３により連通されている。第１領域３１には、非溶水性であり、尿よりも比重が軽く、貯留された尿より上方にシール層Ｓを形成するシール液が注入される。隔壁部１３の下端周縁部には横方向に延びた連結部１４が形成され、連結部１４の先端周縁部には上方に延びた折返し部１５が形成されている。流入口１１Ａは隔壁部１３と折返し部１５との間に上方から尿が流入する位置に貫設されている。流出口１２Ｃは、第２領域３２内であって、折返し部１５の上端より上方に開口している。【選択図】図２
2011074610.tif 000002
【特許請求の範囲】
【請求項１】
小便器の鉢面の下端部に設けられた開口に嵌まり込み、鉢面に沿って流下した尿が流入する流入口を有する蓋部と、
蓋部の外周縁部から下方に延びて形成された側壁部と、側壁部の下端に連続して形成された底部と、貯留された尿が溢流する流出口とを有する本体部と、
蓋部の外周縁部より内側に設けられ、下端が本体部の底部との間に間隔を設けて開口した筒状の隔壁部とを備え、
前記本体部内は、前記隔壁部により、隔壁部の外側に形成された第１領域と内側に形成された第２領域とに区画され、第１領域と第２領域とは前記隔壁部の下端より下方かつ前記底部より上方に形成された第３領域により連通されており、
前記第１領域又は前記第２領域の一方には、非溶水性であり、尿よりも比重が軽く、貯留された尿より上方にシール層を形成するシール液が注入される小便器用排水トラップであって、
前記隔壁部の下端周縁部には前記第１領域又は前記第２領域の一方へ向けて横方向に延びた連結部が形成され、連結部の先端周縁部には上方に延びた折返し部が形成されており、
前記流入口は前記隔壁部と前記折返し部との間に上方から尿が流入する位置に貫設され、前記流出口は、前記第１領域又は前記第２領域の他方の領域内であって、前記折返し部の上端より上方に開口していることを特徴とする小便器用排水トラップ。
【請求項２】
前記流入口は前記隔壁部に沿って貫設されていることを特徴とする請求項１記載の小便器用排水トラップ。
【請求項３】
前記折返し部は、前記隔壁部と一定の間隔を有して設けられていることを特徴とする請求項１又は２記載の小便器用排水トラップ。
【請求項４】
前記折返し部は、前記連結部の先端周縁部と前記シール層の上面との間の中央高さ以上に延びていることを特徴とする請求項１乃至３のいずれか１項記載の小便器用排水トラップ。
【請求項５】
前記折返し部の上端は、前記シール層の下面よりも低いことを特徴とする請求項１乃至４のいずれか１項記載の小便器用排水トラップ。
【請求項６】
前記折返し部は、前記隔壁部と前記側壁部との間の中央位置に設けられていることを特徴とする請求項１乃至５のいずれか１項記載の小便器用排水トラップ。
【請求項７】
排水管が接続され、小便器の鉢面の下端部に上方に向けて開口した凹部に着脱自在に取り付けられるカートリッジ形態に形成されていることを特徴とする請求項１乃至６のいずれか１項記載の小便器用排水トラップ。
【発明の詳細な説明】
【技術分野】
【０００１】
本発明は小便器用排水トラップに関する。
【背景技術】
【０００２】
特許文献１の図１２には、従来の小便器用排水トラップが開示されている。この小便器用排水トラップは、カートリッジ形態に形成され、蓋部と本体部と隔壁部とを備えている。蓋部は、平面視が円形状であり、小便器の鉢面の下端部に設けられた円形状の開口に嵌まり込む。この蓋部には、鉢面に沿って流下した尿が流入する流入口が中心部に設けられている。本体部は、蓋部の外周縁部から下方に延びて形成された円筒形状の側壁部と、側壁部の下端に連続して形成された底部と、貯留された尿が溢流する流出口とを有している。隔壁部は、蓋部の外周縁部より内側の下面から下方に延び、底部との間に間隔を設けて形成されている。隔壁部の下端部から流入口側へ向けて横方向に延びる折返し部が形成されている。折返し部は先端方向が上昇する傾斜面である。
【０００３】
本体部内は、隔壁部及び折返し部により、流入口の下方かつ折返し部の上方に形成された第１領域と、流出口が設けられた第２領域と、折返し部より下方かつ底部より上方に形成された第３領域とに区画されている。流出口は隔壁部の下端より上方に開口している。第１領域と第２領域とは第３領域により連通されている。第１領域には、非溶水性であり、尿よりも比重が軽いシール液が注入され、貯留された尿より上方にシール層が形成されている。
【０００４】
この小便器用排水トラップでは、本体部に貯留された尿の臭気が流入口から外部へ発散することをシール層により防止することができる。また、下流側に連通された排水路からの臭気の逆流を本体部に貯留された尿によりブロックすることができる。このため、この小便器用排水トラップを有する小便器は、洗浄水を全く使用しなくても流入口からトイレ室内へ臭気を発散させることなく、良好に使用することができる。
【先行技術文献】
【特許文献】
【０００５】
【特許文献１】特許第３５１５７８５号公報
【発明の概要】
【発明が解決しようとする課題】
【０００６】
しかし、従来の小便器用排水トラップでは、第１領域の流路が短いため、第１領域から第３領域に尿が勢いよく流入する。このため、第３領域に流入する尿と共にシール液が第３領域に搬送され易い。さらに、第３領域では、折返し部が下流方向に緩やかに下降する傾斜面であるため、流路の上下方向の変化が少なく、第３領域に搬送されたシール液は尿の流れに乗って下流側の第２領域へ搬送され易い。第２領域に搬送されたシール液は尿よりも比重が軽いため、その浮力により第２領域内を上昇してしまう。このように、第２領域まで搬送されてしまったシール液は第１領域に戻ることができず、流出口から流出してしまう。このため、長期の使用により、シール液が徐々に流出口から流出することにより、シール液が減少し、シール層が薄くなる。シール層が薄くなると、貯留された尿の臭気が流入口から発散してしまうおそれがある。
【０００７】
本発明は、上記従来の実情に鑑みてなされたものであって、長期にわたり臭気の発散を防止することができる小便器用排水トラップを提供することを解決すべき課題としている。
【課題を解決するための手段】
【０００８】
本発明の小便器用排水トラップは、小便器の鉢面の下端部に設けられた開口に嵌まり込み、鉢面に沿って流下した尿が流入する流入口を有する蓋部と、
蓋部の外周縁部から下方に延びて形成された側壁部と、側壁部の下端に連続して形成された底部と、貯留された尿が溢流する流出口とを有する本体部と、
蓋部の外周縁部より内側に設けられ、下端が本体部の底部との間に間隔を設けて開口した筒形状の隔壁部とを備え、
前記本体部内は、前記隔壁部により、隔壁部の外側に形成された第１領域と内側に形成された第２領域とに区画され、第１領域と第２領域とは前記隔壁部の下端より下方かつ前記底部より上方に形成された第３領域により連通されており、
前記第１領域又は前記第２領域の一方には、非溶水性であり、尿よりも比重が軽く、貯留された尿より上方にシール層を形成するシール液が注入される小便器用排水トラップであって、
前記隔壁部の下端周縁部には前記第１領域又は前記第２領域の一方へ向けて横方向に延びた連結部が形成され、連結部の先端周縁部には上方に延びた折返し部が形成されており、
前記流入口は前記隔壁部と前記折返し部との間に上方から尿が流入する位置に貫設され、前記流出口は、前記第１領域又は前記第２領域の他方の領域内であって、前記折返し部の上端より上方に開口していることを特徴とする。
【０００９】
この小便器用排水トラップでは、流入口から流入した尿は、シール層を突き抜けて隔壁部と折返し部との間に上方から流入する。隔壁部の下端と折返し部の下端とは連結部により連結されているため、隔壁部、連結部及び折返し部に囲まれた領域（以下、対流域という）において尿の流れが下降から上昇に転じ、対流が生じる。尿の流入により、シール層が攪拌され、シール層より下方に引き込まれたシール液の多くは、この対流に巻き込まれる。このため、シール液は対流域に留まる。尿の流入がなくなり、対流がなくなると、対流域に留まっていたシール液は、その浮力により浮上し、上方のシール層に合流する。
【００１０】
また、対流域から折返し部の上端を乗り越え、第３領域に向かう下降流路における尿の勢いは、対流域に流入する際の尿の勢いに比べて減衰している。このため、尿の流れに乗って、対流域から折返し部の上端を乗り越えたシール液は、下降流路の中間位置まで搬送されるに留まり、第３領域まで搬送され難い。尿の流れがなくなると、この下降流路に滞留していたシール液は、その浮力により浮上し、上方のシール層に合流する。
【００１１】
このように、尿の流れによりシール液が第３領域まで搬送され難いため、それより下流に設けられた流出口からのシール液の流出を抑制することができる。このため、長期の使用によってもシール液の減少を抑えることができ、シール層が薄くなり難い。
【００１２】
したがって、本発明の小便器用排水トラップは、長期にわたり臭気の発散を防止することができる。
【００１３】
前記流入口は前記隔壁部に沿って貫設され得る。この場合、流入口から流入する尿が分散され、本体部に流入する尿の勢いが弱められる。このため、尿の流入によるシール層の攪拌が抑制され、シール層より下方にシール液が引き込まれにくくなる。これにより、シール液の流出をさらに抑制することができる。また、流入口から流入する尿は隔壁部の表面を伝って流下するため、シール層の攪拌が抑制される。これによってもシール液の流出を抑制することができる。よって、シール層が薄くなり難く、臭気の発散を防止することができる。
【００１４】
前記折返し部は、前記隔壁部と一定の間隔を有して設けられ得る。この場合、折返し部と隔壁部との間に一定の間隔が形成されているため、対流域の全体において対流を生じさせることができる。このため、尿の流れに乗って、対流域から折返し部の上端を乗り越えるシール液を少なくすることができることから、シール液の流出を抑制することができる。また、対流域の内面にゲル状の尿石が付着しても、対流域内に不均一にゲル状の尿石が堆積し難い。このため、特定の箇所にゲル状の尿石が早期に堆積してしまい、その箇所で対流が生じないことにより、シール液が流出してしまうことを抑制することができる。よって、シール層が薄くなり難く、臭気の発散を防止することができる。
【００１５】
前記折返し部は、前記連結部の先端周縁部と前記シール層の上面との間の中央高さ以上に延び得る。この場合、対流域内に確実に対流を形成することができるため、シール層より下方に引き込まれたシール液は対流域内の対流に巻き込まれ、対流域に留まる。また、折返し部の上端が第１領域の高い位置に配置されるため、対流域から折返し部の上端を乗り越えるシール液を少なくすることができる。このため、シール液の流出を抑制することができる。よって、シール層が薄くなり難く、臭気の発散を防止することができる。
【００１６】
前記折返し部の上端は前記シール層の下面よりも低くし得る。この場合、尿が対流域から折返し部の上端を乗り越えて下流側へ流出する際に、シール層からシール液を引き込むことを抑制することができる。このため、シール液の流出を抑制することができる。よって、シール層が薄くなり難く、臭気の発散を防止することができる。
【００１７】
前記折返し部は、前記隔壁部と前記側壁部との間の中央位置に設けられ得る。この場合、隔壁部と折返し部との間隔と折返し部と側壁部との間隔が同じであるため、特定の箇所にゲル状の尿石が早期に堆積することがなく、ゲル状の尿石の堆積による詰まりを抑制することができる。
【００１８】
前記小便器用排水トラップは、排水管が接続され、小便器の鉢面の下端部に上方に向けて開口した凹部に着脱自在に取り付けられるカートリッジ形態に形成され得る。この場合、シール液の減少やゲル状の尿石の堆積による詰まり等が生じた際にカートリッジごと交換することができる。このように、メンテナンスを容易に行なうことができる。
【図面の簡単な説明】
【００１９】
【図１】実施例１の小便器用排水トラップを有する小便器を示す断面図である。
【図２】実施例１の小便器用排水トラップを示す断面図である。
【図３】実施例１の小便器用排水トラップを示す分解斜視図である。
【図４】実施例２の小便器用排水トラップを示す断面図である。
【図５】実施例３の小便器用排水トラップを示す断面図である。
【図６】実施例４の小便器用排水トラップを示す断面図である。
【発明を実施するための形態】
【００２０】
本発明の小便器用排水トラップを具体化した実施例１〜４を図面を参照しつつ説明する。
【実施例１】
【００２１】
実施例１の小便器用排水トラップ１０は、図１〜図３に示すように、カートリッジ形態に形成され、小便器１の鉢面２の下端部に上方に向けて開口した凹部３に着脱自在に取り付けられている。小便器１は、壁掛け式であり、トイレ室Ｒの壁面Ｗに係止され、固定されている。凹部３は、小便器１の鉢面２の下端部に取り付けられ、上端が開口し、底部を有する円筒形状の収納容器２０により形成されている。
【００２２】
収納容器２０の上端部には係止部材２１が連結されている。係止部材２１は、収納容器２０の上部内側面に連結され、上方に延びる円筒形状の円筒部２１Ａと、円筒部２１Ａの上端から外側に拡がるリング形状の鍔部２１Ｂとを有している。また、収納容器２０の内側面の中間部には係止凹部２０Ａが形成されている。係止凹部２０Ａには、後述する小便器用排水トラップ１０の本体部１２の側壁部１２Ａに設けられた係止凸部１２Ｆが係止する。収納容器２０内に挿入した小便器用排水トラップ１０を軸周りに所定の角度回転させることにより、係止凸部１２Ｆを係止凹部２０Ａに係止させることができる。このようにして、収納容器２０内にカートリッジ形態の小便器用排水トラップ１０を着脱可能に取り付けることができる。
【００２３】
収納容器２０は、係止部材２１の外側面にパッキン２２が外嵌され、小便器１の鉢面２の下端部に形成された開口２Ａに上方から挿入されている。係止部材２１の鍔部２１Ｂが開口２Ａの周縁部の上面に係止している。収納容器２０の外側面の上部に形成されたねじ部には、収納容器２０の下方から外嵌され、上面が開口２Ａの周縁部の下面に係止するリング形状の締結部材２３がねじ込まれている。このようにして、係止部材２１の鍔部２１Ｂと締結部材２３とにより開口２Ａの周縁部を挟持することにより、収納容器２０は開口２Ａに取り付けられている。収納容器２０は下端隅部から延びた連結管２４を有している。収納容器２０は連結管２４を介して壁面Ｗに引き出された排水管４に接続されている。
【００２４】
カートリッジ形態に形成された小便器用排水トラップ１０は、蓋部１１と本体部１２と隔壁部１３とを備えている。蓋部１１の外形は円形状である。蓋部１１は、収納容器２０の係止部材２１により形成された開口、すなわち、小便器１の鉢面２の下端部に設けられた開口に嵌まり込んでいる。蓋部１１の外周端面に形成された環状凹部にはパッキンＰが嵌め込まれている。このため、係止部材２１により形成された開口の内側面と蓋部１１の外側面とは水密的に接合されている。このため、小便器１の鉢面２に沿って流下した尿は蓋部１１の上面に流れる。蓋部１１には、小便器１の鉢面２に沿って流下した尿が流入する流入口１１Ａが貫設されている。
【００２５】
本体部１２は、側壁部１２Ａと底部１２Ｂと流出口１２Ｃとを有している。側壁部１２Ａは、円筒形状であり、蓋部１１の外周縁部から下方に延びている。蓋部１１の外周縁部と側壁部１２Ａの上端部とは隙間なく接着されている。側壁部１２Ａの外側面の中間部には複数の係止凸部１２Ｆが形成されている。上述したように、係止凸部１２Ｆが収納容器２０の内側面に形成された係止凹部２０Ａに係止することにより、カートリッジ形態の小便器用排水トラップ１０は収納容器２０内に着脱可能に取り付けられている。底部１２Ｂは側壁部１２Ａの下端に連続して形成されている。
【００２６】
隔壁部１３は円筒形状であり、蓋部１１の外周端部より内側に設けられ、閉鎖された上端から下方に延び、下端が本体部１２の底部１２Ｂとの間に間隔を設けて開口している。隔壁部１３は蓋部１１と同軸上に設けられている。蓋部１１には隔壁部１３の外側面に沿って複数に分割された流入口１１Ａがリング状に配置されている。
【００２７】
本体部１２内は、隔壁部１３により、隔壁部１３の外側に形成された第１領域３１と内側に形成された第２領域３２とに区画されている。第１領域３１と第２領域３２とは隔壁部１３の下端より下方かつ本体部１２の底部１２Ｂより上方に形成された第３領域３３により連通されている。第１領域３１には、非溶水性であり、尿よりも比重が軽く、貯留された尿より上方にシール層Ｓを形成するシール液が注入されている。
【００２８】
隔壁部１３の下端の外周縁部には第１領域３１へ向けて横方向に延びたリング形状の連結部１４が形成されている。連結部１４の先端周縁部には上方に延びた円筒形状の折返し部１５が形成されている。折返し部１５は隔壁部１３と一定の間隔を有している。また、折返し部１５は隔壁部１３と側壁部１２Ａとの間の中央位置に設けられている。つまり、折返し部１５、隔壁部１３及び本体部１２は同軸上に配置されている。また、折返し部１５の上端は、第１領域３１において、本体部１２内に貯留された尿より上方に形成されたシール層Ｓの下面よりも低い位置まで上方に延びて形成されている。つまり、折返し部１５は、連結部１４の先端周縁部とシール層Ｓの上面との間の中央高さ以上に延びている。
【００２９】
流出口１２Ｃは、第２領域３２内に本体部１２の底部１２Ｂから立ち上がった流出管１２Ｄの上端に形成されている。また、流出口１２Ｃは折返し部１５の上端より上方に開口している。流出管１２Ｄは半円筒形状に形成され、円弧形状の外側面が隔壁部１３の内側面に接して配置されている。つまり、流出管１２Ｄは平面視で隔壁部１３内の一方に偏った位置に配置されている。
【００３０】
流出管１２Ｄの下部は、本体部１２の底部１２Ｂに沿って側壁部１２Ａ方向に屈曲している。流出管１２Ｄの下流端における底部１２Ｂには排出口１２Ｅが貫設されている。この排出口１２Ｅが収納容器２０の連結管２４の上流部に臨む位置にカートリッジ形態の小便器用排水トラップ１０は収納容器２０に取り付けられている。
【００３１】
第３領域３３の上下方向の寸法Ｘは、第１領域３１に形成された尿の下降流路Ｄ及び第２領域に形成された尿の上昇流路Ｕの垂直中央断面視おける横方向の寸法Ｙ、Ｚよりも大きく形成されている。
【００３２】
このような構成を有する小便器用排水トラップ１０では、流入口１１Ａから流入した尿は、シール層Ｓを突き抜けて隔壁部１３と折返し部１５との間に上方から流入する。すると、隔壁部１３、連結部１４及び折返し部１５に囲まれた領域（以下、対流域Ｔという）において、尿の流れが下降から上昇に転じ、対流が生じる。尿の流入により、シール層Ｓが攪拌され、シール層Ｓより下方に引き込まれたシール液の多くは、この対流に巻き込まれる。このため、シール液は対流域Ｔに留まる。尿の流入がなくなり、対流がなくなると、対流域Ｔに留まっていたシール液は、その浮力により浮上し、上方のシール層Ｓに合流する。
【００３３】
また、対流域Ｔから折返し部１５の上端を乗り越え、第３領域３３に向かう下降流路Ｄにおける尿の勢いは、対流域Ｔに流入する際の尿の勢いに比べて減衰している。このため、尿の流れに乗って、対流域Ｔから折返し部１５の上端を乗り越えたシール液は、下降流路Ｄの中間位置まで搬送されるに留まり、第３領域３３まで搬送され難い。尿の流れがなくなると、この下降流路Ｄに滞留していたシール液は、その浮力により浮上し、上方のシール層Ｓに合流する。
【００３４】
このように、尿の流れによりシール液が第３領域３３まで搬送され難いため、それより下流に設けられた流出口１２Ｃからのシール液の流出を抑制することができる。このため、長期の使用によってもシール液の減少を抑えることができ、シール層Ｓが薄くなり難い。
【００３５】
したがって、実施例１の小便器用排水トラップ１０は、長期にわたり臭気の発散を防止することができる。
【００３６】
また、流入口１１Ａが隔壁部１３の外側面に沿って複数に分割されたリング形状に貫設されているため、流入口１１Ａから流入する尿が分散され、本体部１２に流入する尿の勢いが弱められる。このため、尿の流入によるシール層Ｓの攪拌が抑制され、シール層Ｓより下方にシール液が引き込まれ難くなる。これにより、シール液の流出をさらに抑制することができる。また、流入口１１Ａから流入する尿は隔壁部１３の外側面を伝って流下するため、シール層Ｓの攪拌が抑制される。これによってもシール液の流出を抑制することができる。よって、シール層Ｓが薄くなり難く、臭気の発散を防止することができる。
【００３７】
また、折返し部１５は、隔壁部１３と一定の間隔を有して設けられているため、対流域Ｔの全体において対流を生じさせることができる。このため、尿の流れに乗って、対流域Ｔから折返し部１５の上端を乗り超えるシール液を少なくすることができる。よって、シール液の流出を抑制することができる。また、対流域Ｔの内面にゲル状の尿石が付着しても、対流域Ｔ内に不均一にゲル状の尿石が堆積しない。このため、特定の箇所にゲル状の尿石が早期に堆積してしまい、その箇所で対流が生じないことによりシール液が流出してしまうことを抑制することができる。よって、シール層Ｓが薄くなり難く、臭気の発散を防止することができる。
【００３８】
また、折返し部１５は、連結部１４の先端周縁部とシール層Ｓの上面との間の中央高さ以上に延びているため、対流域Ｔ内に確実に対流が形成され、シール層Ｓより下方に引き込まれたシール液を対流域Ｔ内の対流に巻き込み、対流域に留まらせることができる。また、折返し部１５の上端が第１領域３１の高い位置に配置されるため、対流域Ｔから折返し部１５の上端を乗り越えるシール液を少なくすることができる。このため、シール液の流出を抑制することができる。よって、シール層Ｓが薄くなり難く、臭気の発散を防止することができる。
【００３９】
また、折返し部１５の上端はシール層Ｓの下面よりも低く形成されているため、尿が対流域Ｔから折返し部１５の上端を乗り越えて下流側へ流出する際、シール層Ｓからシール液を引き込むことを抑制することができる。このため、シール液の流出を抑制することができる。よって、シール層Ｓが薄くなり難く、臭気の発散を防止することができる。
【００４０】
また、折返し部１５は、隔壁部１３と側壁部１２Ａとの間の中央位置に設けられているため、隔壁部１３と折返し部１５との間に形成された対流域Ｔ、及び折返し部１５と側壁部１２Ａとの間に形成された下降流路Ｄの特定の箇所にゲル状の尿石が早期に堆積することがなく、ゲル状の尿石の堆積による詰まりを抑制することができる。
【００４１】
また、隔壁部１３が円筒形状に形成され、流出管１２Ｄが半円筒形状に形成され、円弧形状の外側面が隔壁部１３の内側面に接して配置されている。つまり、流出管１２Ｄは平面視で隔壁部１３内の一方に偏った位置に配置されているため、流出管１２Ｄの外側面と隔壁部１３の内側面との間隔を広くすることができる。このため、流出管１２Ｄの外側面と隔壁部１３の内側面との間に形成される尿の上昇流路Ｕは、流出管１２Ｄの外側面及び隔壁部１３の内側面にゲル状の尿石が堆積しても詰まり難くすることができる。また、流出管１２Ｄの外側面と隔壁部１３の内側面との間隔を広くしつつ、流出管１２Ｄの流路断面積を大きくすることができる。このため、流出管１２Ｄからの尿の流出流量を十分に確保することができる。よって、この小便器用排水トラップは、長期にわたり尿の排出を良好に行なうことができる。
【００４２】
また、第３領域３３の上下方向の寸法Ｘは、第１領域３１に形成された尿の下降流路Ｄ及び第２領域に形成された尿の上昇流路Ｕの垂直中央断面視おける横方向の寸法Ｙ、Ｚよりも大きく形成されている。つまり、ゲル状の尿石が堆積し易い第３領域において、その上下方向の寸法を大きく形成することができるため、第３領域３３がゲル状の尿石の堆積により詰まり難くすることができる。このため、尿の排出を良好に行なうことができる。
【００４３】
また、小便器用排水トラップ１０がカートリッジ形態に形成されているため、シール液の減少や尿石の堆積等による詰まりが生じた際にカートリッジごと交換することができる。このため、メンテナンスを容易に行なうことができる。また、この小便器用排水トラップは、ゲル状の尿石の堆積による詰まりが抑制されているため、カートリッジの交換頻度を少なくすることができる。
【実施例２】
【００４４】
実施例２の小便器用排水トラップ１１０は、図４に示すように、本体部１１２が小便器１の鉢面２の下端部に直接取り付けられている。本体部１１２の上端部には係止部材２１が連結されている。本体部１１２は、小便器１の鉢面２の下端部に形成された開口２Ａの上方から挿入され、係止部材２１の鍔部２１Ｂが開口２Ａの周縁部の上面に係止している。本体部１１２の外側面の上部にねじ部が形成されている。本体部１１２の下方から外嵌され、上面が開口２Ａの周縁部の下面に係止するリング形状の締結部材２３が本体部１１２の外側面に形成されたねじ部にねじ込まれている。このようにして、係止部材２１の鍔部２１Ｂと締結部材２３とにより開口２Ａの周縁部を挟持することにより、本体部１１２は開口２Ａに取り付けられている。
【００４５】
また、本体部１１２は下端隅部から延びた連結管１２４を有している。連結管１２４の上流端には、第２領域３２内に立ち上がった流出管１１２Ｄが連結されている。流出管１１２Ｄの上端には流出口１１２Ｃが形成されている。流出口１１２Ｃは折返し部１５の上端より上方に開口している。流出管１１２Ｄは半円筒形状に形成され、円弧形状の外側面が隔壁部１３の内側面に接して配置されている。つまり、流出管１１２Ｄは平面視で隔壁部１３内の一方に偏った位置に配置されている。連結管１２４の下端部は壁面Ｗに引き出された排水管４に接続されている。
【００４６】
また、蓋部１１は本体部１１２に対して着脱可能に取り付けられている。このため、本体部１１２内にゲル状の尿石が堆積する等によるつまりが生じた際には、蓋部１１を取り外し、詰まりの原因を除去することができる。他の構成は、実施例１と同様であり、同一の構成については同一の符号を付し詳細な説明を省略する。
【００４７】
このような構成を有する小便器用排水トラップ１１０でも、実施例１の小便器用排水トラップ１０と同様に、尿の流入により、シール層Ｓより下方に引き込まれたシール液の多くは、対流域Ｔに生じた対流に巻き込まれ、対流域Ｔに留まる。このため、尿の流入がなくなると、対流域Ｔに留まっていたシール液は、その浮力により浮上し、上方のシール層Ｓに合流する。また、対流域Ｔから折返し部１５の上端を乗り越えたシール液は、下降流路Ｄの中間位置まで搬送されるに留まり、第３領域３３まで搬送され難い。尿の流れがなくなると、この下降流路Ｄに滞留していたシール液は、その浮力により浮上し、上方のシール層Ｓに合流する。このように、尿の流れによりシール液が第３領域３３まで搬送され難いため、それより下流に設けられた流出口１２Ｃからのシール液の流出を抑制することができる。このため、長期の使用によってもシール液の減少を抑えることができ、シール層Ｓが薄くなり難い。
【００４８】
したがって、実施例２の小便器用排水トラップ１１０も長期にわたり臭気の発散を防止することができる。
【実施例３】
【００４９】
実施例３の小便器用排水トラップ２１０は、図５に示すように、流出管２１２Ｄが円筒形状であり、本体部２１２の側壁部２１２Ａと同軸上に形成されている。また、流出管２１２Ｄは隔壁部１３とも同軸上に位置している。このため、流出管２１２Ｄの周囲に隔壁部１３との間で上昇流路Ｕが形成されている。本体部２１２の底部２１２Ｂには、収納容器２０の連結管２４の上流部に臨む排出口２１２Ｅが中心部に形成されている。他の構成は、実施例１と同様であり、同一の構成については同一の符号を付し詳細な説明を省略する。
【００５０】
このような構成を有する小便器用排水トラップ２１０でも、実施例１の小便器用排水トラップ１０と同様に、尿の流入により、シール層Ｓより下方に引き込まれたシール液の多くは、対流域Ｔに生じた対流に巻き込まれ、対流域Ｔに留まる。このため、尿の流入がなくなると、対流域Ｔに留まっていたシール液は、その浮力により浮上し、上方のシール層Ｓに合流する。また、対流域Ｔから折返し部１５の上端を乗り越えたシール液は、下降流路Ｄの中間位置まで搬送されるに留まり、第３領域３３まで搬送され難い。尿の流れがなくなると、この下降流路Ｄに滞留していたシール液は、その浮力により浮上し、上方のシール層Ｓに合流する。このように、尿の流れによりシール液が第３領域３３まで搬送され難いため、それより下流に設けられた流出口２１２Ｃからのシール液の流出を抑制することができる。このため、長期の使用によってもシール液の減少を抑えることができ、シール層Ｓが薄くなり難い。
【００５１】
したがって、実施例３の小便器用排水トラップ２１０も長期にわたり臭気の発散を防止することができる。
【実施例４】
【００５２】
実施例４の小便器用排水トラップ３１０は、図６に示すように、蓋部３１１と本体部３１２と隔壁部３１３とを備えている。本体部３１２は、側壁部３１２Ａと底部３１２Ｂと流出口３１２Ｃとを有している。側壁部３１２Ａは円筒形状であり、外側面の中間部には帯状の凸部３１２Ｄが形成されている。本体部３１２は、係止部材３２１により、小便器１の鉢面２の下端部に直接取り付けられる。係止部材３２１は、本体部３１２の上部を包囲する円筒形状の円筒部３２１Ａと、円筒部３２１Ａの上端に連続し、外側に拡がるリング形状の鍔部３２１Ｂと、円筒部３２１Ａの下端に連続し、凸部３１２Ｄに係合する環状凹部３２１Ｃとを有している。また、係止部材３２１は、鍔部３２１Ｂとの間で小便器１の鉢面２の下端部に形成された開口２Ａの周縁部を挟持する半円弧形状の係止部３２１Ｄを有している。係止部３２１Ｄは弾性移動可能であり、内側に弾性移動して開口２Ａを上方から通過し、通過後に外側へ移動する。このようにして、係止部３２１Ｄは、開口２Ａの周縁部の下面に係止する。鍔部３２１Ｂと係止部３２１Ｄとの間には、パッキン２２が外嵌されている。
【００５３】
側壁部３１２Ａには後述する折返し部３１５の上端より上方に開口する流出口３１２Ｃが設けられている。本体部３１２には流出口３１２Ｃから横方向に延びる連結管３２４が設けられている。小便器用排水トラップ３１０は、上部から横方向に延びた連結管３２４により壁面Ｗに引き出された配水管４に接続される。
【００５４】
蓋部３１１の外形は円形状である。蓋部３１１は本体部３１２を小便器１の鉢面２の下端部に取り付ける係止部材３２１により形成された開口、すなわち、小便器１の鉢面２の下端部に設けられた開口に嵌まり込んでいる。蓋部３１１の外周端面に形成された環状凹部にはパッキンＰが嵌め込まれている。このため、係止部材３２１により形成された開口の内側面と蓋部３１１の外側面とは水密的に接合されている。このため、小便器１の鉢面２に沿って流下した尿は蓋部３１１の上面に流れる。蓋部３１１には、小便器１の鉢面２に沿って流下した尿が流入する流入口３１１Ａが間接されている。
【００５５】
隔壁部３１３は円筒形状であり、蓋部３１１の外周端部より内側に設けられ、下端が本体部３１２の底部３１２Ｂとの間に間隔を設けて開口している。隔壁部３１３は蓋部３１１と同軸上に設けられている。蓋部３１１には隔壁部３１３の内側面に沿って複数に分割された流入口３１１Ａがリング形状に配置されている。
【００５６】
本体部３１２内は、隔壁部３１３により、隔壁部３１３の外側に形成された第１領域３３１と内側に形成された第２領域３３２とに区画されている。第１領域３３１と第２領域３３２とは隔壁部３１３の下端より下方かつ本体部３１２の底部３１２Ｂより上方に形成された第３領域３３３により連通されている。第２領域３３２には、非溶水性であり、尿よりも比重が軽く、貯留された尿より上方にシール層Ｓを形成するシール液が注入されている。
【００５７】
隔壁部３１３の下端の内周縁部には第２領域３３２へ向けて横方向に延びたリング形状の連結部３１４が形成されている。連結部３１４の先端周縁部には隔壁部３１３の中間部の高さまで上方に延びた円筒形状の折返し部３１５が形成されている。折返し部３１５は隔壁部３１３と一定の間隔を有している。つまり、折返し部３１５と隔壁部３１３とは同軸上に配置されている。また、折返し部３１５の上端は、第２領域３３２において、本体部３１２内に貯留された尿より上方に形成されたシール層Ｓの下面よりも低い位置まで上方に延びて形成されている。
【００５８】
このような構成を有する小便器用排水トラップ３１０では、流入口３１１Ａから流入した尿は、シール層Ｓを突き抜けて隔壁部３１３と折返し部３１５との間に上方から流入する。すると、隔壁部３１３、連結部３１４及び折返し部３１５に囲まれた領域である対流域Ｔにおいて、尿の流れが下降から上昇に転じ、対流が生じる。尿の流入により、シール層Ｓが攪拌され、シール層Ｓより下方に引き込まれたシール液の多くは、この対流に巻き込まれる。このため、シール液は対流域Ｔに留まる。尿の流入がなくなり、対流がなくなると、対流域Ｔに留まっていたシール液は、その浮力により浮上し、上方のシール層Ｓに合流する。
【００５９】
また、対流域Ｔから折返し部３１５の上端を乗り越え、第３領域３３３に向かう下降流路Ｄにおける尿の勢いは、対流域Ｔに流入する際の尿の勢いに比べて減衰している。このため、尿の流れに乗って、対流域Ｔから折返し部３１５の上端を乗り越えたシール液は、下降流路Ｄの中間位置まで搬送されるに留まり、第３領域３３まで搬送され難い。尿の流れがなくなると、この下降流路Ｄに対流していたシール液は、その浮力により浮上し、上方のシール層Ｓに合流する。
【００６０】
このように、尿の流れによりシール液が第３領域３３３まで搬送され難いため、それより下流に設けられた流出口３１２Ｃからシール液の流出を抑制することができる。このため、長期の使用によってもシール液の減少を抑えることができ、シール層Ｓが薄くなり難い。
【００６１】
したがって、実施例４の小便器用排水トラップ３１０も長期にわたり臭気の発散を防止することができる。
【００６２】
また、流入口３１１Ａが隔壁部３１３の内側面に沿って複数に分割されたリング状に貫設されているため、流入口３１１Ａから流入する尿が分散され、本体部３１２に流入する尿の勢いが弱められる。このため、尿の流入によるシール層Ｓの攪拌が抑制され、シール層Ｓより下方にシール液が引き込まれ難くなる。これにより、シール液の流出をさらに抑制することができる。また、流入口１１Ａから流入する尿は隔壁部３１３の内側面を伝って流下するため、シール層Ｓの攪拌が抑制される。これによってもシール液の流出を抑制することができる。よって、シール層Ｓが薄くなり難く、臭気の発散を防止することができる。
【００６３】
また、折返し部３１５は、隔壁部３１３と一定の間隔を有して設けられているため、対流域Ｔの全体において対流を生じさせることができる。このため、尿の流れに乗って、対流域Ｔから折返し部３１５の上端を乗り超えるシール液を少なくすることができる。よって、シール液の流出を抑制することができる。また、対流域Ｔの内面にゲル状の尿が付着しても、対流域Ｔ内に不均一にゲル状の尿石が堆積しない。このため、特定の箇所にゲル状の尿石が早期に堆積してしまい、その箇所で対流が生じないことによりシール液が流出してしまうことを抑制することができる。よって、シール層Ｓが薄くなり難く、臭気の発散を防止することができる。
【００６４】
また、折返し部３１５の上端はシール層Ｓの下面よりも低く形成されているため、尿が対流域Ｔから折返し部３１５の上端を乗り越えて下流側へ流出する際、シール層Ｓからシール液を引き込むことを抑制することができる。このため、シール液の流出を抑制することができる。よって、シール層Ｓが薄くなり難く、臭気の発散を防止することができる。
【００６５】
また、折返し部３１５の内部に流路断面積の大きい下降流路Ｄが形成されているため、ゲル状の尿石が早期に堆積することがなく、ゲル状の尿石の堆積による詰まりを抑制することができる。
【００６６】
本発明は、上記記載及び図面によって説明した実施例１〜４に限定されるものではなく、例えば次のような実施例も本発明の技術的範囲に含まれる。
（１）実施例１〜４では、小便器用排水トラップの外形が円筒形状であったが、円筒形状でなくてもよい。この場合、隔壁部、折返し部も円筒形状でなく、本体部の側壁部に沿った筒形状であればよい。
（２）実施例１〜４では、折返し部の上端は、シール層の下面よりも低く形成されていたが、シール層内に位置してもよい。
（３）実施例１及び２では、流出管が半円筒形状に形成され、円弧状の外側面が隔壁部の内側面に接して配置されているが、流出管は半円筒形状でなくてもよい。また、流出管は隔壁部の内側面に接しなくても平面視で隔壁部内の一方に偏った位置に配置されるとよい。
（４）実施例２では、本体部が小便器の鉢面の下端部に直接取り付けられているが、本体部を小便器本体と一体に形成してもよい。
【産業上の利用可能性】
【００６７】
本発明は洗浄水を利用しない小便器に利用可能である。
【符号の説明】
【００６８】
１…小便器
２…鉢面
１０、１１０、２１０、３１０…小便器用排水トラップ
１１、３１１…蓋部
１１Ａ、３１１Ａ…流入口
１２、１１２、２１２、３１２…本体部
１２Ａ、１１２Ａ、２１２Ａ、３１２Ａ…側壁部
１２Ｂ、１１２Ｂ、２１２Ｂ、３１２Ｂ…底部
１２Ｃ、１１２Ｃ、２１２Ｃ、３１２Ｃ…流出口
１３、３１３…隔壁部
１４、３１４…連結部
１５、３１５…折返し部
３１、３３１…第１領域
３２、３３２…第２領域
３３、３３３…第３領域
Ｓ…シール層
【図１】
2011074610.tif 000003
【図２】
2011074610.tif 000004
【図３】
2011074610.tif 000005
【図４】
2011074610.tif 000006
【図５】
2011074610.tif 000007
【図６】
2011074610.tif 000008